【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
インクジェット記録装置であって、
複数の異なる種類のインクに対応した複数の複数のインクカートリッジと、
受光部と、
複数のインクカートリッジ装着部が移動方向に並べて設けられているキャリッジであって、前記複数のインクカートリッジ装着部の夫々と前記受光部との相対的な位置関係が変化するように前記移動方向に移動可能なキャリッジと、
前記複数のインクカートリッジ装着部に対応した複数の本体側接点と、
前記複数の本体側接点に共通に電気的に接続された共通配線と、
発光部を発光させるための発光コマンド及び発光部を消灯させるための消灯コマンドを含むコマンド群から選択されるコマンドとカートリッジ識別情報とを含むデータを、前記共通配線に送信可能な本体側制御手段とを備え、
前記複数のインクカートリッジの各々は、(1)前記受光部が受光可能な光の発光が可能な発光部と(2)前記装置側接点と電気的に接続可能なカートリッジ側接点と、(3)識別情報を保持する情報保持部と、(4)前記カートリッジ側接点を介して前記共通配線より受けたデータに含まれるカートリッジ識別情報と前記情報保持部に保持されている識別情報に基づき前記データに含まれるコマンドの実行を制御するカートリッジ側制御部と、を含み、
前記本体側制御手段は、前記移動方向におけるキャリッジの位置に応じたカートリッジ識別情報と発光コマンドとを含むデータおよび前記移動方向におけるキャリッジの位置に応じたカートリッジ識別情報と消灯コマンドとを含むデータを前記共通配線を介して前記キャリッジに装着された複数のカートリッジに送信し、このデータを受けた前記複数のカートリッジの発光部からの発光に対する前記受光部の受光結果に基づいて前記複数のインクカートリッジが正しいインクカートリッジ装着部に装着されているか否かを判断することを特徴とするインクジェット記録装置。
【請求項２】
インクジェット記録装置であって、
複数の異なる種類のインクに対応した複数のインクカートリッジと、
受光部と、
複数のインクカートリッジ装着部が移動方向に並べて設けられているキャリッジであって、前記複数のインクカートリッジ装着部の夫々と前記受光部との相対的な位置関係が変化するように前記移動方向に移動可能なキャリッジと、
前記複数のインクカートリッジ装着部に対応した複数の本体側接点と、
前記複数の本体側接点に共通に電気的に接続された共通配線と、
コマンドとカートリッジ識別情報とを含むデータを、前記共通配線に送信可能な本体側制御手段とを備え、
前記複数のインクカートリッジの各々は、 (1)前記受光部が受光可能な光の発光が可能な発光部と、(2)前記装置側接点と電気的に接続可能なカートリッジ側接点と、(3)識別情報を保持する情報保持部と、(4) (a)前記カートリッジ側接点を介して前記共通配線から受けた前記データに含まれるコマンドが発光コマンドの場合、そのデータに含まれるカートリッジ識別情報と前記情報保持部に保持されている識別情報に基づいて前記発光部の発光を制御し、且つ(b) 前記カートリッジ側接点を介して前記共通配線から受けた前記データに含まれるコマンドが消灯コマンドの場合、そのデータに含まれるカートリッジ識別情報と前記情報保持部に保持されている識別情報に基づいて前記発光部の消灯を制御するカートリッジ側制御部とを含み、
前記本体側制御手段は、前記移動方向におけるキャリッジの位置に応じたカートリッジ識別情報と発光コマンドとを含むデータおよび前記移動方向におけるキャリッジの位置に応じたカートリッジ識別情報と消灯コマンドとを含むデータを前記共通配線を介して前記キャリッジに装着された複数のカートリッジに送信し、このデータを受けた前記複数のカートリッジの発光部からの発光に対する前記受光部の受光結果に基づいて前記複数のインクカートリッジが正しいインクカートリッジ装着部に装着されているか否かを判断することを特徴とするインクジェット記録装置。
【請求項３】
インクジェット記録装置であって、
受光部と、
複数のインクカートリッジ装着部が移動方向に並べて設けられているキャリッジであって、前記複数のインクカートリッジ装着部の夫々と前記受光部との相対的な位置関係が変化するように前記移動方向に移動可能なキャリッジと、
前記複数のインクカートリッジ装着部に対応して設けられた複数の本体側接点と、
前記複数の本体側接点共通に電気的に接続された共通配線と、
発光コマンドとカートリッジ識別情報とを含む発光制御データおよび消灯コマンドとカートリッジ識別情報とを含む消灯制御データを、前記共通配線に送信可能な送信手段と、
前記キャリッジに装着された、複数の異なる種類のインクに対応した複数のインクカートリッジと、を備え、
前記複数のインクカートリッジの各々は、(1)前記受光部が受光可能な光を発することが可能な発光部と、(2)前記本体側接点に電気的に接続可能なカートリッジ側接点と、(3)識別情報を保持する情報保持部と、(4)(a)前記カートリッジ側接点を介して前記共通配線より受けた発光制御データに含まれるカートリッジ識別情報と前記情報保持部に保持されている識別情報に基づいて前記発光部の発光を制御し、且つ(b)前記カートリッジ側接点を介して前記共通配線より受けた消灯制御データに含まれるカートリッジ識別情報と前記情報保持部に保持されている識別情報に基づいて前記発光部の消灯を制御するカートリッジ側制御部とを含み、
前記移動方向におけるキャリッジの位置に応じたカートリッジ識別情報を含む発光制御データおよび前記移動方向におけるキャリッジの位置に応じたカートリッジ識別情報を含む消灯制御データを前記共通配線を介して受けた前記複数のインクカートリッジの発光部からの発光に対する前記受光部の受光結果に基づいて、前記複数のインクカートリッジが正しいインクカートリッジ装着部に装着されているか否かを判断することを特徴とするインクジェット記録装置。
【請求項４】
インクジェット記録装置であって、
複数の異なる色のインクに対応した複数の複数のインクカートリッジと、
受光部と、
複数のインクカートリッジ装着部が移動方向に並べて設けられているキャリッジであって、前記複数のインクカートリッジ装着部の夫々と前記受光部との相対的な位置関係が変化するように前記移動方向に移動可能なキャリッジと、
前記複数のインクカートリッジ装着部に対応した複数の本体側接点と、
前記複数の本体側接点に共通に電気的に接続された共通配線と、
発光部を発光させるための発光コマンド及び発光部を消灯させるための消灯コマンドを含むコマンド群から選択されるコマンドと色情報とを含むデータを、前記共通配線に送信可能な本体側制御手段とを備え、
前記複数のインクカートリッジの各々は、(1)前記受光部が受光可能な光の発光が可能な発光部と (2)前記装置側接点と電気的に接続可能なカートリッジ側接点と、(3)収納されるインクの色に対応した色情報を保持する情報保持部と、(4)前記カートリッジ側接点を介して前記共通配線より受けたデータに含まれる色情報と前記情報保持部に保持されている色情報に基づき前記データに含まれるコマンドの実行を制御するカートリッジ側制御部と、を含み、
前記本体側制御手段は、前記移動方向におけるキャリッジの位置に応じた色情報と発光コマンドとを含むデータおよび前記移動方向におけるキャリッジの位置に応じた色情報と消灯コマンドとを含むデータを前記共通配線を介して前記キャリッジに装着された複数のカートリッジに送信し、このデータを受けた前記複数のカートリッジの発光部からの発光に対する前記受光部の受光結果に基づいて前記複数のインクカートリッジが正しいインクカートリッジ装着部に装着されているか否かを判断することを特徴とするインクジェット記録装置。
【請求項５】
インクジェット記録装置であって、
複数の異なる色のインクに対応した複数のインクカートリッジと、
受光部と、
複数のインクカートリッジ装着部が移動方向に並べて設けられているキャリッジであって、前記複数のインクカートリッジ装着部の夫々と前記受光部との相対的な位置関係が変化するように前記移動方向に移動可能なキャリッジと、
前記複数のインクカートリッジ装着部に対応した複数の本体側接点と、
前記複数の本体側接点に共通に電気的に接続された共通配線と、
コマンドと色情報とを含むデータを、前記共通配線に送信可能な本体側制御手段とを備え、
前記複数のインクカートリッジの各々は、 (1)前記受光部が受光可能な光の発光が可能な発光部と、(2)前記装置側接点と電気的に接続可能なカートリッジ側接点と、(3) 収納されるインクの色に対応した色情報を保持する情報保持部と、(4) (a)前記カートリッジ側接点を介して前記共通配線から受けた前記データに含まれるコマンドが発光コマンドの場合、そのデータに含まれる色情報と前記情報保持部に保持されている色情報に基づいて前記発光部の発光を制御し、且つ(b) 前記カートリッジ側接点を介して前記共通配線から受けた前記データに含まれるコマンドが消灯コマンドの場合、そのデータに含まれる色情報と前記情報保持部に保持されている色情報に基づいて前記発光部の消灯を制御するカートリッジ側制御部とを含み、
前記本体側制御手段は、前記移動方向におけるキャリッジの位置に応じた色情報と発光コマンドとを含むデータおよび前記移動方向におけるキャリッジの位置に応じた色情報と消灯コマンドとを含むデータを前記共通配線を介して前記キャリッジに装着された複数のカートリッジに送信し、このデータを受けた前記複数のカートリッジの発光部からの発光に対する前記受光部の受光結果に基づいて前記複数のインクカートリッジが正しいインクカートリッジ装着部に装着されているか否かを判断することを特徴とするインクジェット記録装置。
【請求項６】
インクジェット記録装置であって、
受光部と、
複数のインクカートリッジ装着部が移動方向に並べて設けられているキャリッジであって、前記複数のインクカートリッジ装着部の夫々と前記受光部との相対的な位置関係が変化するように前記移動方向に移動可能なキャリッジと、
前記複数のインクカートリッジ装着部に対応して設けられた複数の本体側接点と、
前記複数の本体側接点共通に電気的に接続された共通配線と、
発光コマンドと色情報とを含む発光制御データおよび消灯コマンドと色情報とを含む消灯制御データを、前記共通配線に送信可能な送信手段と、
前記キャリッジに装着された、複数の異なる色のインクに対応した複数のインクカートリッジと、を備え、
前記複数のインクカートリッジの各々は、(1)前記受光部が受光可能な光を発することが可能な発光部と、 (2)前記本体側接点に電気的に接続可能なカートリッジ側接点と、(3)収納されるインクの色に対応した色情報を保持する情報保持部と、(4)(a)前記カートリッジ側接点を介して前記共通配線より受けた発光制御データに含まれる色情報と前記情報保持部に保持されている色情報に基づいて前記発光部の発光を制御し、且つ(b)前記カートリッジ側接点を介して前記共通配線より受けた消灯制御データに含まれる色情報と前記情報保持部に保持されている色情報に基づいて前記発光部の消灯を制御するカートリッジ側制御部とを含み、
前記移動方向におけるキャリッジの位置に応じた色情報を含む発光制御データおよび前記移動方向におけるキャリッジの位置に応じた色情報を含む消灯制御データを受けた前記複数のインクカートリッジの発光部からの発光に対する前記受光部の受光結果に基づいて、前記複数のインクカートリッジが正しいインクカートリッジ装着部に装着されているか否かを判断することを特徴とするインクジェット記録装置。
【請求項７】
インクジェット記録装置であって、
複数の異なる色のインクに対応した複数のインクカートリッジと、
受光部と、
複数のインクカートリッジ装着部が移動方向に並べて設けられているキャリッジであって、前記複数のインクカートリッジ装着部の夫々と前記受光部との相対的な位置関係が変化するように前記移動方向に移動可能なキャリッジと、
前記複数のインクカートリッジ装着部に対応した複数の本体側接点と、
前記複数の本体側接点に共通に電気的に接続された共通配線と、
コマンドと色情報とを含むデータを、前記共通配線に送信可能な送信手段とを備え、
前記複数のインクカートリッジの各々は、 (1)前記受光部が受光可能な光の発光が可能な発光部と、(2)前記装置側接点と電気的に接続可能なカートリッジ側接点と、(3) 収納されるインクの色に対応した色情報を保持する情報保持部と、(4) (a)前記カートリッジ側接点を介して前記共通配線から受けた前記データに含まれるコマンドが発光コマンドの場合、そのデータに含まれる色情報と前記情報保持部に保持されている色情報に基づいて前記発光部の発光を制御し、且つ(b) 前記カートリッジ側接点を介して前記共通配線から受けた前記データに含まれるコマンドが消灯コマンドの場合、そのデータに含まれる色情報と前記情報保持部に保持されている色情報に基づいて前記発光部の消灯を制御するカートリッジ側制御部とを含み、
前記移動方向におけるキャリッジの位置に応じて特定された色情報に対応する色のインクを収納するインクカートリッジの発光部を発光させ、その受光結果に基づいて前記複数のインクカートリッジが正しいインクカートリッジ装着部に装着されているか否かを判断することを特徴とすることを特徴とするインクジェット記録装置。
【請求項８】
前記複数のインクカートリッジの各々において、前記発光部および前記カートリッジ側接点は、前記インクが収納される収納部の外側に設けられていることを特徴とする請求項１乃至７のいずれかに記載のインクジェット記録装置。
【請求項９】
前記複数のインクカートリッジの各々において、前記発光部、前記カートリッジ側接点、前記情報保持部および前記カートリッジ側制御部は、前記インクが収納される収納部の外側に設けられていることを特徴とする請求項１乃至７のいずれかに記載のインクジェット記録装置。
【請求項１０】
前記発光部からの光は、前記インクが収納される収納空間を介さずに前記受光部に到達可能であることを特徴とする請求項１乃至９のいずれかに記載のインクジェット記録装置。
【請求項１１】
前記複数のインクカートリッジの各々は、前記発光部、前記カートリッジ側接点、前記情報保持部および前記カートリッジ側制御部を備えた基板を更に備えることを特徴とする請求項１乃至１０のいずれかに記載のインクジェット記録装置。
【請求項１２】
前記基板は、前記インクカートリッジの外表面に設けられていることを特徴とする請求項１１に記載のインクジェット記録装置。
【請求項１３】
前記基板は、前記カートリッジの外側に向いた第１面とその第１面とは反対の第２面を有し、
前記カートリッジ側接点は前記第１面に設けられ、前記発光部は前記第２面に設けられていることを特徴とする請求項１１または１２に記載のインクジェット記録装置。
【請求項１４】
前記基板は、前記インクが収納される収納空間に対向する第１面とその第１面とは反対の第２面を有し、
前記発光部は前記第１面に設けられ、前記カートリッジ側接点は前記第２面に設けられていることを特徴とする請求項１１または１２に記載のインクジェット記録装置。
【請求項１５】
前記発光部はユーザが視認可能な光を発光可能であり、
前記正しいインクカートリッジ装着部に装着されていないと判断されたインクカートリッジの前記発光部からの光によってユーザに報知可能としたことを特徴とする請求項１乃至１４のいずれかに記載のインクジェット記録装置。
【請求項１６】
表示手段を更に備え、
前記表示手段は、前記インクカートリッジが正しいインクカートリッジ装着部に装着されていないと判断された場合に、その結果を表示することを特徴とする請求項１乃至１５のいずれかに記載のインクジェット記録装置。
【請求項１７】
請求項１乃至１６のいずれかに記載の前記インクジェット記録装置に着脱可能なインクカートリッジであって、
前記発光部と、
前記カートリッジ側接点と、
前記情報保持部と、
前記カートリッジ側制御部と、
を備えることを特徴とするインクカートリッジ。
【請求項１８】
請求項１乃至１６のいずれかに記載のインクカートリッジ。
【手続補正２】
【補正対象書類名】明細書
【補正対象項目名】００２３
【補正方法】変更
【補正の内容】
【００２３】
本発明は、以上のような問題を解消するためになされたものであり、その目的とするところは、記録装置本体とカートリッジとの電気接続を行うための信号線の数を減した構成（複数のカートリッジに共通に電気接続可能な共通信号線の構成）を採用しつつ、その信号線からカートリッジに送られてきた情報とカートリッジの記録素子（情報格納部）に格納されている情報（識別情報、色情報）とを利用してカートリッジの発光部の発光制御を行うことによってカートリッジが正しい位置（正しいカートリッジ装着部）に装着されているか否かを判断可能とすることにある。
【手続補正３】
【補正対象書類名】明細書
【補正対象項目名】００２５
【補正方法】変更
【補正の内容】
【００２５】
そのために本発明では、インクジェット記録装置であって、複数の異なる種類のインクに対応した複数の複数のインクカートリッジと、受光部と、複数のインクカートリッジ装着部が移動方向に並べて設けられているキャリッジであって、前記複数のインクカートリッジ装着部の夫々と前記受光部との相対的な位置関係が変化するように前記移動方向に移動可能なキャリッジと、前記複数のインクカートリッジ装着部に対応した複数の本体側接点と、前記複数の本体側接点に共通に電気的に接続された共通配線と、発光部を発光させるための発光コマンド及び発光部を消灯させるための消灯コマンドを含むコマンド群から選択されるコマンドとカートリッジ識別情報とを含むデータを、前記共通配線に送信可能な本体側制御手段とを備え、前記複数のインクカートリッジの各々は、(1)前記受光部が受光可能な光の発光が可能な発光部と (2)前記装置側接点と電気的に接続可能なカートリッジ側接点と、(3)識別情報を保持する情報保持部と、(4)前記カートリッジ側接点を介して前記共通配線より受けたデータに含まれるカートリッジ識別情報と前記情報保持部に保持されている識別情報に基づき前記データに含まれるコマンドの実行を制御するカートリッジ側制御部と、を含み、前記本体側制御手段は、前記移動方向におけるキャリッジの位置に応じたカートリッジ識別情報と発光コマンドとを含むデータおよび前記移動方向におけるキャリッジの位置に応じたカートリッジ識別情報と消灯コマンドとを含むデータを前記共通配線を介して前記キャリッジに装着された複数のカートリッジに送信し、このデータを受けた前記複数のカートリッジの発光部からの発光に対する前記受光部の受光結果に基づいて前記複数のインクカートリッジが正しいインクカートリッジ装着部に装着されているか否かを判断することを特徴とする。
他の形態では、インクジェット記録装置であって、複数の異なる種類のインクに対応した複数のインクカートリッジと、受光部と、複数のインクカートリッジ装着部が移動方向に並べて設けられているキャリッジであって、前記複数のインクカートリッジ装着部の夫々と前記受光部との相対的な位置関係が変化するように前記移動方向に移動可能なキャリッジと、前記複数のインクカートリッジ装着部に対応した複数の本体側接点と、前記複数の本体側接点に共通に電気的に接続された共通配線と、コマンドとカートリッジ識別情報とを含むデータを、前記共通配線に送信可能な本体側制御手段とを備え、前記複数のインクカートリッジの各々は、 (1)前記受光部が受光可能な光の発光が可能な発光部と、(2)前記装置側接点と電気的に接続可能なカートリッジ側接点と、(3)識別情報を保持する情報保持部と、(4) (a)前記カートリッジ側接点を介して前記共通配線から受けた前記データに含まれるコマンドが発光コマンドの場合、そのデータに含まれるカートリッジ識別情報と前記情報保持部に保持されている識別情報に基づいて前記発光部の発光を制御し、且つ(b) 前記カートリッジ側接点を介して前記共通配線から受けた前記データに含まれるコマンドが消灯コマンドの場合、そのデータに含まれるカートリッジ識別情報と前記情報保持部に保持されている識別情報に基づいて前記発光部の消灯を制御するカートリッジ側制御部とを含み、前記本体側制御手段は、前記移動方向におけるキャリッジの位置に応じたカートリッジ識別情報と発光コマンドとを含むデータおよび前記移動方向におけるキャリッジの位置に応じたカートリッジ識別情報と消灯コマンドとを含むデータを前記共通配線を介して前記キャリッジに装着された複数のカートリッジに送信し、このデータを受けた前記複数のカートリッジの発光部からの発光に対する前記受光部の受光結果に基づいて前記複数のインクカートリッジが正しいインクカートリッジ装着部に装着されているか否かを判断することを特徴とする。
さらに他の形態では、インクジェット記録装置であって、受光部と、複数のインクカートリッジ装着部が移動方向に並べて設けられているキャリッジであって、前記複数のインクカートリッジ装着部の夫々と前記受光部との相対的な位置関係が変化するように前記移動方向に移動可能なキャリッジと、前記複数のインクカートリッジ装着部に対応して設けられた複数の本体側接点と、前記複数の本体側接点共通に電気的に接続された共通配線と、発光コマンドとカートリッジ識別情報とを含む発光制御データおよび消灯コマンドとカートリッジ識別情報とを含む消灯制御データを、前記共通配線に送信可能な送信手段と、前記キャリッジに装着された、複数の異なる種類のインクに対応した複数のインクカートリッジと、を備え、前記複数のインクカートリッジの各々は、(1)前記受光部が受光可能な光を発することが可能な発光部と、 (2)前記本体側接点に電気的に接続可能なカートリッジ側接点と、(3)識別情報を保持する情報保持部と、(4)(a)前記カートリッジ側接点を介して前記共通配線より受けた発光制御データに含まれるカートリッジ識別情報と前記情報保持部に保持されている識別情報に基づいて前記発光部の発光を制御し、且つ(b)前記カートリッジ側接点を介して前記共通配線より受けた消灯制御データに含まれるカートリッジ識別情報と前記情報保持部に保持されている識別情報に基づいて前記発光部の消灯を制御するカートリッジ側制御部とを含み、前記移動方向におけるキャリッジの位置に応じたカートリッジ識別情報を含む発光制御データおよび前記移動方向におけるキャリッジの位置に応じたカートリッジ識別情報を含む消灯制御データを前記共通配線を介して受けた前記複数のインクカートリッジの発光部からの発光に対する前記受光部の受光結果に基づいて、前記複数のインクカートリッジが正しいインクカートリッジ装着部に装着されているか否かを判断することを特徴とする。
さらに他の形態では、インクジェット記録装置であって、複数の異なる色のインクに対応した複数の複数のインクカートリッジと、受光部と、複数のインクカートリッジ装着部が移動方向に並べて設けられているキャリッジであって、前記複数のインクカートリッジ装着部の夫々と前記受光部との相対的な位置関係が変化するように前記移動方向に移動可能なキャリッジと、前記複数のインクカートリッジ装着部に対応した複数の本体側接点と、前記複数の本体側接点に共通に電気的に接続された共通配線と、発光部を発光させるための発光コマンド及び発光部を消灯させるための消灯コマンドを含むコマンド群から選択されるコマンドと色情報とを含むデータを、前記共通配線に送信可能な本体側制御手段とを備え、前記複数のインクカートリッジの各々は、(1)前記受光部が受光可能な光の発光が可能な発光部と (2)前記装置側接点と電気的に接続可能なカートリッジ側接点と、(3)収納されるインクの色に対応した色情報を保持する情報保持部と、(4)前記カートリッジ側接点を介して前記共通配線より受けたデータに含まれる色情報と前記情報保持部に保持されている色情報に基づき前記データに含まれるコマンドの実行を制御するカートリッジ側制御部と、を含み、前記本体側制御手段は、前記移動方向におけるキャリッジの位置に応じた色情報と発光コマンドとを含むデータおよび前記移動方向におけるキャリッジの位置に応じた色情報と消灯コマンドとを含むデータを前記共通配線を介して前記キャリッジに装着された複数のカートリッジに送信し、このデータを受けた前記複数のカートリッジの発光部からの発光に対する前記受光部の受光結果に基づいて前記複数のインクカートリッジが正しいインクカートリッジ装着部に装着されているか否かを判断することを特徴とする。
さらに他の形態では、インクジェット記録装置であって、複数の異なる色のインクに対応した複数のインクカートリッジと、受光部と、複数のインクカートリッジ装着部が移動方向に並べて設けられているキャリッジであって、前記複数のインクカートリッジ装着部の夫々と前記受光部との相対的な位置関係が変化するように前記移動方向に移動可能なキャリッジと、前記複数のインクカートリッジ装着部に対応した複数の本体側接点と、前記複数の本体側接点に共通に電気的に接続された共通配線と、コマンドと色情報とを含むデータを、前記共通配線に送信可能な本体側制御手段とを備え、前記複数のインクカートリッジの各々は、 (1)前記受光部が受光可能な光の発光が可能な発光部と、(2)前記装置側接点と電気的に接続可能なカートリッジ側接点と、(3) 収納されるインクの色に対応した色情報を保持する情報保持部と、(4) (a)前記カートリッジ側接点を介して前記共通配線から受けた前記データに含まれるコマンドが発光コマンドの場合、そのデータに含まれる色情報と前記情報保持部に保持されている色情報に基づいて前記発光部の発光を制御し、且つ(b) 前記カートリッジ側接点を介して前記共通配線から受けた前記データに含まれるコマンドが消灯コマンドの場合、そのデータに含まれる色情報と前記情報保持部に保持されている色情報に基づいて前記発光部の消灯を制御するカートリッジ側制御部とを含み、前記本体側制御手段は、前記移動方向におけるキャリッジの位置に応じた色情報と発光コマンドとを含むデータおよび前記移動方向におけるキャリッジの位置に応じた色情報と消灯コマンドとを含むデータを前記共通配線を介して前記キャリッジに装着された複数のカートリッジに送信し、このデータを受けた前記複数のカートリッジの発光部からの発光に対する前記受光部の受光結果に基づいて前記複数のインクカートリッジが正しいインクカートリッジ装着部に装着されているか否かを判断することを特徴とする。
さらに他の形態では、インクジェット記録装置であって、受光部と、複数のインクカートリッジ装着部が移動方向に並べて設けられているキャリッジであって、前記複数のインクカートリッジ装着部の夫々と前記受光部との相対的な位置関係が変化するように前記移動方向に移動可能なキャリッジと、前記複数のインクカートリッジ装着部に対応して設けられた複数の本体側接点と、前記複数の本体側接点共通に電気的に接続された共通配線と、発光コマンドと色情報とを含む発光制御データおよび消灯コマンドと色情報とを含む消灯制御データを、前記共通配線に送信可能な送信手段と、前記キャリッジに装着された、複数の異なる色のインクに対応した複数のインクカートリッジと、を備え、前記複数のインクカートリッジの各々は、(1)前記受光部が受光可能な光を発することが可能な発光部と、 (2)前記本体側接点に電気的に接続可能なカートリッジ側接点と、(3)収納されるインクの色に対応した色情報を保持する情報保持部と、(4)(a)前記カートリッジ側接点を介して前記共通配線より受けた発光制御データに含まれる色情報と前記情報保持部に保持されている色情報に基づいて前記発光部の発光を制御し、且つ(b)前記カートリッジ側接点を介して前記共通配線より受けた消灯制御データに含まれる色情報と前記情報保持部に保持されている色情報に基づいて前記発光部の消灯を制御するカートリッジ側制御部とを含み、前記移動方向におけるキャリッジの位置に応じた色情報を含む発光制御データおよび前記移動方向におけるキャリッジの位置に応じた色情報を含む消灯制御データを受けた前記複数のインクカートリッジの発光部からの発光に対する前記受光部の受光結果に基づいて、前記複数のインクカートリッジが正しいインクカートリッジ装着部に装着されているか否かを判断することを特徴とする。
さらに他の形態では、インクジェット記録装置であって、複数の異なる色のインクに対応した複数のインクカートリッジと、受光部と、複数のインクカートリッジ装着部が移動方向に並べて設けられているキャリッジであって、前記複数のインクカートリッジ装着部の夫々と前記受光部との相対的な位置関係が変化するように前記移動方向に移動可能なキャリッジと、前記複数のインクカートリッジ装着部に対応した複数の本体側接点と、前記複数の本体側接点に共通に電気的に接続された共通配線と、コマンドと色情報とを含むデータを、前記共通配線に送信可能な送信手段とを備え、前記複数のインクカートリッジの各々は、 (1)前記受光部が受光可能な光の発光が可能な発光部と、(2)前記装置側接点と電気的に接続可能なカートリッジ側接点と、(3) 収納されるインクの色に対応した色情報を保持する情報保持部と、(4) (a)前記カートリッジ側接点を介して前記共通配線から受けた前記データに含まれるコマンドが発光コマンドの場合、そのデータに含まれる色情報と前記情報保持部に保持されている色情報に基づいて前記発光部の発光を制御し、且つ(b) 前記カートリッジ側接点を介して前記共通配線から受けた前記データに含まれるコマンドが消灯コマンドの場合、そのデータに含まれる色情報と前記情報保持部に保持されている色情報に基づいて前記発光部の消灯を制御するカートリッジ側制御部とを含み、前記移動方向におけるキャリッジの位置に応じて特定された色情報に対応する色のインクを収納するインクカートリッジの発光部を発光させ、その受光結果に基づいて前記複数のインクカートリッジが正しいインクカートリッジ装着部に装着されているか否かを判断することを特徴とすることを特徴とする。
【手続補正４】
【補正対象書類名】明細書
【補正対象項目名】００２６
【補正方法】変更
【補正の内容】
【００２６】
本発明によれば、複数のカートリッジに共通に電気接続可能な共通信号配線を採用しつつ、その共通信号配線からカートリッジに送られてきた情報とカートリッジの記録素子（情報格納部）に格納されている情報（識別情報、色情報）とを利用してカートリッジの発光部の発光制御を行うことによってカートリッジが正しい位置（正しいカートリッジ装着部）に装着されているか否かを判断することができる。これにより、複数のカートリッジの装着位置間違いを検知可能で、しかも、複数のカートリッジと記録装置本体との電気接続を行う信号線の数が抑制された低廉な記録装置を提供できる。